(57)【特許請求の範囲】
【請求項１】
シート載置面に積載されたシート材をシート搬送路に予備搬送する予備搬送手段と、
前記予備搬送手段の搬送方向下流に配置され、シート材を搬送する方向に回転する分離ローラと、
前記分離ローラの搬送方向下流に配置された搬送ローラと、
前記搬送ローラと圧接し前記搬送ローラの回転に従動する従動コロと、
前記予備搬送手段の搬送方向下流に、前記シート搬送路を開閉するために回動可能に配置され、前記シート搬送路を閉じた位置で前記シート材を前記分離ローラの搬送方向上流で停止させるストッパ部材と、
前記従動コロに設けられ、前記従動コロが前記搬送ローラに従動して回転したときに前記ストッパ部材と係合することにより前記シート搬送路を閉じた位置から開いた位置へ前記ストッパ部材を回動させる係合部と、
前記搬送ローラに駆動力を供給する駆動手段と、
前記駆動手段の駆動力を前記分離ローラと前記予備搬送手段とに伝達する駆動伝達手段とを有し、
前記駆動手段の駆動力が前記搬送ローラに伝達されて前記従動コロが前記搬送ローラに従動して前記ストッパ部材が回動した後に、前記駆動手段の駆動力を前記予備搬送手段に伝達する遅延伝達機構を前記駆動伝達手段に備えたことを特徴とするシート材搬送装置。
【請求項２】
前記予備搬送手段は、前記シート載置面に対して突出する予備搬送面と、前記シート載置面に対して突出しない待機面とが形成され、回転角度によって前記シート載置面に対する突出状態が変化する予備搬送ローラを備えたことを特徴とする請求項１記載のシート材搬送装置。
【請求項３】
シート材の搬送開始の初期状態において、前記予備搬送ローラを前記シート載置面に対して突出しない回転位置に保持する初期位置保持機構を備えたことを特徴とする請求項２記載のシート材搬送装置。
【請求項４】
前記初期位置保持機構は、前記予備搬送ローラの軸部に設けられた断面略Ｄ字状の平面部と、前記予備搬送ローラの軸部に圧接し、シート材の搬送開始の初期位置において前記平面部に弾性的に当接して回転方向に対する抵抗を前記予備搬送ローラに付与する板状弾性部材とを備えたことを特徴とする請求項３記載のシート材搬送装置。
【請求項５】
前記駆動手段は、回転式モータであり、
前記駆動伝達手段は、前記搬送ローラに伝達された前記回転式モータの回転駆動力を前記分離ローラに伝達する伝達軸を備え、
前記伝達軸には、前記搬送ローラの回転開始時よりも前記分離ローラの回転開始を所定のタイミングで遅らせるように前記回転式モータの回転駆動力を伝達する前記遅延伝達機構が備えられたことを特徴とする請求項１乃至４のいずれかに記載のシート材搬送装置。
【請求項６】
前記回転式モータを逆回転駆動することにより前記予備搬送ローラをシート材の搬送開始の初期状態の位置に戻すイニシャライズ機構が設けられたことを特徴とする請求項５記載のシート材搬送装置。
【請求項７】
請求項１乃至６のいずれかに記載のシート材搬送装置と、
前記搬送ローラの搬送方向下流に配置され、前記シート材の画像面の画像情報を入力する画像読取手段と、
前記画像読取手段の搬送方向下流に配置され、前記シート材を排出するシート材排出手段とを備えたことを特徴とする画像読取装置。
【請求項８】
シート材排出手段は、前記駆動手段によって駆動されることを特徴とする請求項７記載の画像読取装置。
【発明の詳細な説明】
【０００１】
【発明の属する技術分野】
本発明は、複数枚のシート材を順次搬送するシート材搬送装置及びこのシート材搬送装置が用いられた画像読取装置に関する。
【０００２】
【従来の技術】
従来より、ファクシミリ等の画像形成装置においては、原稿の画像情報を入力するための画像入力手段として、原稿読取装置が備えられている。この原稿読取装置では、複数枚のシート材による原稿（以下、複葉原稿という。）がセットされた場合に、これを１枚ずつ分離して画像入力部（画像読取手段）に搬送するシート材搬送装置が備えられる。
【０００３】
シート材搬送装置では、シート載置面に載置された複葉原稿から最下位側（又は最上位側）のシート材をピックアップしてシート搬送路に予備搬送する予備搬送ローラや、予備搬送ローラにより給送された原稿を１枚ずつ分離して画像入力部側に搬送するための分離搬送ローラなどの複数のローラが備えられている。また、シート材搬送装置では、予備搬送ローラの後段かつ分離搬送ローラの前段で複葉原稿を停止保持しておくためのストッパ部材が設けられる。
【０００４】
このストッパ部材は、ユーザが複葉原稿を分離搬送ローラの位置まで一気に押し込んでしまうと分離搬送ローラによる複葉原稿の分離ができなくなることから、複葉原稿を分離搬送ローラまで押し込めないように停止保持する機能を有している。
【０００５】
このようなシート材搬送装置を備えた原稿読取装置で原稿の画像情報を入力する場合には、ストッパ部材を退避させて複葉原稿の停止を解除し、予備搬送ローラを回転させる。これにより、複葉原稿から１枚ずつシート材が取り出されて後段の分離搬送ローラへと給送され、このときシート材の重送が生じた場合であっても、分離搬送ローラにより１枚ずつ確実に分離され、後段の画像読取手段に搬送されて、原稿の画像情報が読み取られるようになっている。
【０００６】
従来、ファクシミリ装置等の画像形成装置における原稿読取装置としては、図１３乃至図１６に示す構成のものが提案されている。
【０００７】
図１６はファクシミリ装置の外観図であり、このファクシミリ装置は、図１６の右側上部に原稿を載置する原稿載置部が配置され、左側上部に開閉可能なカバー部を備えた画像読取手段が配置されており、前記原稿載置部に原稿面（画像面）を下向きにして積載された複葉原稿が最下層のものから順次前記画像読取手段に搬送され、原稿排紙トレイ１１４上に排紙される。また、記録用のシート材が積載されたシート積載部２００，２０１，２０２からのシート材は、不図示の画像形成部で形成された画像信号に対応のトナー画像が転写され、不図示の定着装置を経て記録紙排紙トレイ２０３上に排紙されるようになっている。
【０００８】
前記原稿載置部は、図１３に示すように、シート載置台１０１と接続して原稿搬送路をなすシートガイド１０２の上下に各種のローラ等が配置されている。シートガイド１０２の原稿搬送方向の上流側の幅方向中央部には断面Ｄ形状の予備搬送ローラ１０３が配置され、該予備搬送ローラ１０３のＤカット面がシートガイド１０２よりも上方に突出しないようになっている。
【０００９】
また、予備搬送ローラ１０３に対向して前記カバー部には、板状の錘板１０４が揺動可能に設けられている。予備搬送ローラ１０３に続いてシートガイド１０２の原稿搬送方向の下流側には、重送した原稿を分離・搬送するための下分離ローラ１０５と上分離ローラ１０６とが配置され、さらに下流側には下搬送ローラ１０７と上搬送ローラ１０８、原稿の画像を読み取るための画像読取手段１１１、原稿を原稿排紙トレイ１０８に排紙するための下排紙ローラ１１２と上排紙ローラ１１３とが配置されている。
【００１０】
上分離ローラ１０６と上搬送ローラ１０８とは、カバー部に取り付けられた加圧レバー１０９に取り付けられ、加圧バネ１１０のバネ力によりそれぞれ下分離ローラ１０５と下搬送ローラ１０７に加圧接触するようになっている。また上排紙ローラ１１３もカバー部に取り付けられ、このカバー部を開くことによりシートガイド１０２から原稿を取り除くことができるようになっている。
【００１１】
また、予備搬送ローラ１０３と下分離ローラ１０５との間には、ストッパ部材１２１の係止爪部１２２がシートガイド１０２から突出可能となっており、前記原稿載置部に積載された複葉原稿の先端部が予備搬送ローラ１０３と錘板１０４との対向位置を経て係止爪部１２２と当接するまで押し込まれる。
【００１２】
予備搬送ローラ１０３、下分離ローラ１０５、下搬送ローラ１０７及びストッパ部材１２１の駆動は、図１４に示す駆動機構により１つのパルスモータ（不図示）によりギア列を介して行われる。不図示のパルスモータに連結された駆動軸１１５のギアが下分離ローラ１０５を有する分離ローラ軸１０５ａの一端側のギア（第２のギア列Ｇ２の一部）に噛み合い、下分離ローラ１０５を回転させる。この分離ローラ軸１０５ａの他端側のギア（第１のギア列Ｇ１の一部）が第１のギア列Ｇ１のアイドラギアに噛み合い、このアイドラギアは予備搬送ローラ１０３に接続されたバネクラッチ１１６の入力軸に取り付けられたギアに噛み合っている。
【００１３】
バネクラッチ１１６は、制御環１１６Ａの係止部１１６Ｂに、ソレノイド１１７により駆動される係止爪部材１１８が係合すると摩擦力が発生し、予備搬送ローラ１０３を回動させる。予備搬送ローラ１０３はＤカット面を上面にした位置を停止位置として１回転する間欠駆動が行われ、ソレノイド１１７は画像情報の読取が開始されると通電され、予備搬送ローラ１０３が１回転するタイミングで通電が遮断される。予備搬送ローラ１０３が１回転する間に原稿の先端は分離ローラ１０５，１０６に搬送され、予備搬送ローラ１０３のＤカット面が上面を向いてシートガイド１０２よりも上方に突出しないため、分離ローラ１０５，１０６による原稿の搬送に影響を与えない。
【００１４】
予備搬送ローラ１０３の駆動の際には、前記ストッパ部材１２１も駆動されてその係止爪部１２２がシートガイド１０２よりも下方に退避する。この駆動動作は、第２のギア列Ｇ２を介して駆動軸１１５の駆動力がバネクラッチ等のワンウェイクラッチ１２８に伝達されることにより行われる。ストッパ部材１２１におけるワンウェイクラッチ１２８は、他の前記ローラが原稿搬送のために回転する方向を正回転方向とすると、この正回転方向での回転は伝達せず、逆回転方向での回転を伝達するように構成されている。
【００１５】
図１５に示すように、カム軸１２７と一体に回転するカム部材１２３のカム面にストッパ部材１２１のカム従動部１２４が当接しており、このストッパ部材１２１は一端部に係止爪部１２２が設けられ、他端側の枢軸１２１Ｂを支点として回動可能となっている。図１５の（１）に示すストッパ部材１２１の係止爪部１２２がシートガイド１０２の孔部１０２Ａから突出して複葉原稿を係止した状態から、（２）に示すようにカム軸１２７が逆回転すると、ストッパ部材１２１も逆回転し、徐々に係止爪部１２２が孔部１０２Ａ内に退避し始める。そして、（３）に示すようにカム部材１２３の係止部１２６がストッパ部材１２１の係止部１２５を通過すると、モータの逆回転が停止される。このモータの逆回転制御は、図１５の（１）の待機状態を基準とし、（３）の状態まで、すなわち、係止部１２６が係止部１２５を通り過ぎ、ストッパ部材１２１が降り切るまで、モータをパルス制御により一定量駆動され、そのときの駆動パルス数はカム部材１２３の形状により定められる。
【００１６】
これにより、複葉原稿の係止が解除され、次に原稿搬送のためにモータを正方向に回転させる。このとき、ストッパ部材１２１は、その係止部１２５とカム部材１２３の係止部１２６とが係合するため、ワンウェイクラッチ１２８が空転し、（４）に示すように、ストッパ部材１２１の下降が原稿搬送が終了するまで継続される。
【００１７】
そして、排出ローラ対１１２，１２３による最後の原稿の排出が不図示の検出手段で検出されると、（５）に示すように、（１）の待機状態となる所定のパルス数だけモータを逆回転する。
【００１８】
【発明が解決しようとする課題】
しかしながら、上述した従来の画像形成装置のシート材搬送装置では、ストッパ部材１２１がシートガイド１０２よりも下方に退避するように移動してから、予備搬送ローラ１０３の回転を、ソレノイド１１７を使って開始させる。ソレノイド１１７を使用するため、コストアップとなり、またソレノイド１１７を配置するためのスペースを確保する必要があり装置の小型化を妨げていた。また、ソレノイド１１７からは束線が引き出されるため、シート材搬送装置のユニット組付け時に、取り付け操作が煩雑になっていた。さらに、ソレノイド１１７自体の消費電力が大きく、電源の容量を大きくする必要があり、電源のコストアップの要因となっていた。
【００１９】
本発明の目的は、ソレノイドを使用せずに、ストッパ部材の移動制御と、予備搬送手段、分離ローラおよび搬送ローラの駆動制御とを、駆動手段の駆動で実現可能とし、低コストでコンパクトなシート材搬送装置を提供すること、及びこのシート材搬送装置を備えた画像読取装置を提供することにある。
【００２０】
【課題を解決するための手段】
上述の課題を解決した本発明のシート材搬送装置は、シート載置面に積載されたシート材をシート搬送路に予備搬送する予備搬送手段と、前記予備搬送手段の搬送方向下流に配置され、シート材を搬送する方向に回転する分離ローラと、前記分離ローラの搬送方向下流に配置された搬送ローラと、前記搬送ローラと圧接し前記搬送ローラの回転に従動する従動コロと、前記予備搬送手段の搬送方向下流に、前記シート搬送路を開閉するために回動可能に配置され、前記シート搬送路を閉じた位置で前記シート材を前記分離ローラの搬送方向上流で停止させるストッパ部材と、前記従動コロに設けられ、前記従動コロが前記搬送ローラに従動して回転したときに前記ストッパ部材と係合することにより前記シート搬送路を閉じた位置から開いた位置へ前記ストッパ部材を回動させる係合部と、前記搬送ローラに駆動力を供給する駆動手段と、前記駆動手段の駆動力を前記分離ローラと前記予備搬送手段とに伝達する駆動伝達手段とを有し、前記駆動手段の駆動力が前記搬送ローラに伝達されて前記従動コロが前記搬送ローラに従動して前記ストッパ部材が回動した後に、前記駆動手段の駆動力を前記予備搬送手段に伝達する遅延伝達機構を前記駆動伝達手段に備える。
【００２１】
予備搬送手段は、シート載置面に対して突出する予備搬送面と、シート載置面に対して突出しない待機面とが形成され、回転角度によってシート載置面に対する突出状態が変化する予備搬送ローラを備えた構成とする。
【００２２】
この場合、シート材の搬送開始の初期状態において、予備搬送ローラをシート載置面に対して突出しない回転位置に保持する初期位置保持機構を設けることが好ましい。
【００２３】
この初期位置保持機構は、予備搬送ローラの軸部に設けられた断面略Ｄ字状の平面部と、予備搬送ローラの軸部に圧接し、シート材の搬送開始の初期位置において平面部に弾性的に当接して回転方向に対する抵抗を予備搬送ローラに付与する板状弾性部材とを備えた構成とする。
【００２５】
さらに、駆動手段を回転式モータとし、駆動伝達手段は、搬送ローラに伝達された回転式モータの回転駆動力を分離ローラに伝達する伝達軸を備え、伝達軸には、搬送ローラの回転開始時よりも分離ローラの回転開始を所定のタイミングで遅らせるように回転式モータの回転駆動力を伝達する遅延伝達機構が備えられた構成とする。
【００２６】
この場合、回転式モータを逆回転駆動することにより予備搬送ローラをシート材の搬送開始の初期状態の位置に戻すイニシャライズ機構を設けるようにする。
【００２７】
本発明の画像読取装置は、上述したいずれかの構成のシート材搬送装置と、搬送ローラの搬送方向下流に配置され、シート材の画像面の画像情報を入力する画像読取手段と、画像読取手段の搬送方向下流に配置され、シート材を排出するシート材排出手段とを備えたことを特徴とする。
【００２８】
また、シート材排出手段は、駆動手段によって駆動される構成とする。
【００２９】
【発明の実施の形態】
本発明の実施の形態を、図面を参照しながら詳細に説明する。なお、以下の実施の形態では、本発明をファクシミリ装置に適用した例について説明する。
【００３０】
本発明の実施の形態のファクシミリ装置は、一般にインクジェット記録装置と称される記録系が用いられたものであり、当該ファクシミリ装置の中央断面図を図１に、外観斜視図を図２に、電気信号制御ブロックを図３に、それぞれ示す。
【００３１】
また、このファクシミリ装置に備えられたシート材搬送装置を含む原稿読取系につき、その下原稿フレームユニットの平面図を図４に、原稿読取系における上原稿フレームユニットの平面図を図５に、下原稿フレームユニットにおける予備搬送ローラユニットの構成を図６に、下原稿フレームユニットにおける分離ローラユニットの構成を図７に、図４の矢印Ｆ方向から見た各駆動ギアを図８に、ストッパの動き説明図を図９に、ストップバネの構成及び初期状態における予備搬送ローラ等の位相関係を図１０に、予備搬送ローラ及びバネクラッチ等の動き説明図を図１１に、ストッパ及び予備搬送ローラの動作シーケンスを図１２に、それぞれ示している。
【００３２】
まず、図１及び図２を参照して、実施の形態のファクシミリ装置についての全体構成を説明する。
【００３３】
本実施の形態のファクシミリ装置は、筐体部としての装置本体７の下部に２段に給紙カセット１ａ，１ｂを着脱可能に配置し、給紙カセット１ａ，１ｂに積載した記録シート２を夫々給紙系Ａによりインクジェット方式の記録系Ｂに給紙し、排紙ローラ１０ａと拍車１０ｂにより排紙経路へ矢印ａ方向に排紙し、さらに排出ローラ１１ａ，１１ｂにより上段給紙カセット１ａの上部の機外へ排出する。
【００３４】
上下段の給紙カセット１ａ，１ｂに対しては、同構成の給紙機構が配置されており、給紙カセット１（１ａ，１ｂ）の爪４（４ａ，４ｂ）に当接する最上位置の記録シート２（２ａ，２ｂ）が給送ローラ３（３ａ，３ｂ）により取り出されて、一対のフィードローラ５ａと５ｂのニップ部に送り、このフィードローラ対５ａ，５ｂにより、記録系Ｂに送るようになっている。
【００３５】
記録系Ｂは、プラテン３０に対して幅方向（主走査方向）にインクカートリッジ９を有するインクヘッドを装着したキャリッジ３１が移動可能に構成され、プラテンローラ８に支持された記録シート２に対して印字が行われる。インクカートリッジ９のインクヘッドは、他機から伝送された画像信号、或いは後述する原稿読取系Ｃから伝送された画像信号、さらには、後述するコンピュータ等から出力される画像データに基づいて、給紙カセット１より供給された記録シート２に画像を記録する。なお、インクカートリッジ９は、記録カバー１２を矢印ｃ方向に開放して、矢印ｄ方向に引き出して交換できるようになっている。
【００３６】
このファクシミリ装置では、原稿読取系Ｃと操作部Ｄにより、原稿読取装置が構成されており、当該原稿読取装置は、装置本体７の上部に配置され、給紙カセット１の装着方向と同じ方向に原稿１３を給紙することにより、文字図形等の画像が記載された原稿面（画像面）の読取を行う。
【００３７】
原稿読取装置の原稿読取系Ｃは、複数枚のシート材による原稿（以下、複葉原稿という。）が画像面を下向きとして載置される原稿トレー１５と、原稿トレー１５のシート載置面に積載された複葉原稿から最下位側のシート材をピックアップしてシート搬送路に予備搬送する予備搬送ローラ５１及び予備搬送押圧板７７による予備搬送部と、予備搬送部によって予備搬送されたシート材を１枚ずつ分離して原稿読取手段側に搬送する分離ローラ１６ａ及びこれに圧接する分離片１６ｂからなる原稿分離部と、原稿分離部の後段に位置する搬送ローラ１７ａ及び搬送コロ１７ｂによる搬送ローラ対と、排出ローラ１８ａ及び排出コロ１８ｂによる排出ローラ対と、予備搬送ローラ５１の後段に配された詳細を後述するストッパ部材６８と、コンタクトセンサ等による原稿読取手段としての光電変換素子１９とを備えている。原稿読取系Ｃでは、原稿トレー１５、予備搬送ローラ５１、分離ローラ１６ａ、搬送ローラ１７ａ、排出ローラ１８ａ、光電変換素子１９の各々が、装置本体７内の下原稿フレーム５０に取り付けられている。一方、予備搬送押圧板７７及び予備搬送押圧板７７を下原稿フレーム５０側に付勢するバネ７８、分離片１６ｂ、搬送コロ１７ｂ、排出コロ１８ｂ、ストッパ部材６８の各々が、上原稿フレーム６１に取り付けられている。
【００３８】
原稿読取系Ｃでは、原稿トレー１５のシート載置面に載置された複葉原稿について、図４で後述する予備搬送ローラユニット３０１内の前記予備搬送部によって１枚ずつ取り出されて後段の分離ローラユニット３０２へと給送され、このときシート材の重送が生じた場合であっても、分離ローラユニット３０２の前記原稿分離部によって一枚ずつ分離給送され、分離給送されたシート材が搬送ローラ対１７ａ，１７ｂ及び排出ローラ対１８ａ，１８ｂによって搬送されて装置外（記録カバー１２上）に排出される。そして、シート材が排出されるまでの間に、光電変換素子１９による原稿読取手段にて画像面の画像情報が読み取られ、その画像信号がコピーモードの場合には自己の記録系に伝送され、送信モードの場合は他機の記録系に伝送されるようになっている。なお、原稿読取系Ｃにおけるストッパ部材６８の構成及び動作については後述する。
【００３９】
原稿読取装置の操作部Ｄは、コピーモード、送信モード、プリンタモードについて切り換えるモード切り換え操作や、コピー、送信、プリンタについての各種設定等の操作を行うためのものであり、これら各種操作に応じたキーが設けられている。この操作部Ｄは、装置本体７に対して後述する上原稿フレーム６１のユニットと一体となって図１の矢印ｅ方向に回動可能に構成され、原稿読取系Ｃにおいて原稿１３が搬送不良を起こした際にも、容易にジャム解除が出来るようになっている。
【００４０】
次に、このファクシミリ装置の制御系について、図３に示すブロック図を参照して説明する。
【００４１】
図３に示すように、ファクシミリ装置の制御系は、ファクシミリの制御部１２１と、装置全体に電力を供給する電源ユニット１２２と，モデム１２３および電話機（ハンドセット）１２４と回線１２５とを接続するＮＣＵ基板ユニット１２６と、上述の操作部Ｄから入力した内容等を表示する表示部１２７と、上述の記録系Ｂについての制御部１２８と、さらには周辺コンピュータ１２９からのデータを得るためのプリンタインターフェース１３０等を有している。
【００４２】
制御部１２１は、ファクシミリ装置全体の制御を行うＣＰＵ１３１と、各種プログラムや各種データ等を格納したＲＯＭ１３２と、上記ＣＰＵ１３１のワークエリアとして使用されると共に、記録枚数等の各種データの一時保存を行うＲＡＭ１３３と、後述するラインメモリ１３４と、符号化／複合化部１３５と、メモリバッファ１３６と、ファクシミリとプリンタとの切換を行う入出力切換インターフェース１３７とを有する。
【００４３】
制御部１２１のラインメモリ１３４は、画像データの各ラインのイメージを格納するものであって、原稿１３の送信もしくはコピーの場合には、上述した原稿読取系Ｃからの１ライン分のイメージデータが格納され、画像データの受信の場合には、復号化された１ライン分のデータが格納される。そして上記ラインメモリ１３４に格納された画像データは、ＣＰＵ１３１を通り記録系制御コードを追加して入出力切換インターフェース１３７から記録系Ｂの制御部１２８のＣＰＵ１３８に出力され、ＣＰＵＢ１が前記記録系制御コードを解読することによって、画像記録が行われる。
【００４４】
符号化／複合化部１３５は、ラインメモリ１３４に格納された符号化画像データを読み出し、複合化して、イメージデータに変換する。また、符号化／複合化部１３５は、モデム１２３及びメモリバッファ１３６を介して受信された符号化画像データをＭＨ符号化等の形式で符号化する。メモリバッファ１３６は、ＣＰＵ１３１、符号化／複合化部１３５、及びモデム１２３から送受信された符号化画像データを格納する。
【００４５】
また、プリント機能の制御について説明すると、まず、周辺コンピュータ１２９が出力したデータおよび記録系制御コードが、プリンタインターフェース１３０を介して入出力切換インターフェース１３７に取り込まれる。そして、このデータおよび記録系制御コードが入出力切換インターフェース１３７から記録系Ｂ内の制御部１２８のＣＰＵ１３８に出力され、ＣＰＵ１３８が前記記録系制御コードを解読することによって、プリント記録が行われる。この時、制御部１２１内のＣＰＵ１３１ではプリント記録の制御を行わないようになっている。このような制御とすることで、ファクシミリ機能とプリント機能とを単純にしている。
【００４６】
次に、このファクシミリ装置の原稿読取系Ｃに備えられたシート材搬送装置について詳細に説明する。
【００４７】
まず、図４を参照して、シート材搬送装置の下原稿フレーム５０側の構成について説明する。
【００４８】
下原稿フレーム５０の略中央には、上述の搬送ローラ１７ａが長手方向に３つ配されている。各搬送ローラ１７ａは、それぞれ同軸上に一体回転可能に配されており、搬送ローラ１７ａの軸部の一端側には、図８で後述するギア７５が取り付けられている。
【００４９】
また、下原稿フレーム５０における搬送ローラ１７ａの下流側には、上述の光電変換素子１９が各搬送ローラ１７ａと略平行に取り付けられている。
【００５０】
さらに、下原稿フレーム５０における光電変換素子１９の下流側には、上述の排出ローラ１８ａが長手方向に３つ配されており、各排出ローラ１８ａは、各搬送ローラ１７ａと対応する位置に設けられている。各排出ローラ１８ａは、それぞれ同軸上に一体回転可能に配されており、排出ローラ１８ａの軸部の一端側には、図８で後述するギア７４が取り付けられている。
【００５１】
一方、下原稿フレーム５０の最上流側には、分離ローラ１６ａ、ギア５５、バネクラッチ５６、ギア５７、これらが取り付けられる金属製の分離ローラ軸５８等からなる分離ローラユニット３０２と、予備搬送ローラ５１、クラッチ軸５２、予備搬送ローラ軸５３、バネクラッチ５４等により構成される予備搬送ローラユニット３０１、予備搬送ローラ５１を原稿１３の搬送方向とは逆向きに回転させるためのＡアイドラギア５９（５９ａ，５９ｂ）、予備搬送ローラ５１を原稿１３の搬送方向に回転させるためのＢアイドラギア６０（６０ａ，６０ｂ）等が取り付けられている。
【００５２】
そして、下原稿フレーム５０における分離ローラユニット３０２の下流側かつ搬送ローラ１７ａの上流側には、伝達軸７２が回転可能に軸支されている。この伝達軸７２は、その一端側（図４の左側）に図８で後述するギア７６が取り付けられている。一方、伝達軸７２の他端側には、メカタイマ９９が固着形成されており、このメカタイマ９９に対してギア７３が回動自在に接続されている。これにより、図７で後述するように、伝達軸７２の回転は、メカタイマ９９により時間遅れを伴ってギア７３に伝達される。ギア７３の回転は、さらに分離ローラユニット３０２のギア５５及び予備搬送ローラユニット３０１のＡアイドラギア５９へと伝達され、この動作については後述する。
【００５３】
次に、図５を参照して、シート材搬送装置の上原稿フレーム６１側の構成について説明する。
【００５４】
シート材搬送装置では、図５に示すように、上述の分離ローラ１６ａに対向位置する分離片１６ｂや、分離片１６ｂを分離ローラ１６ａに押圧している分離バネ１６ｃが、上原稿フレーム６１の軸支部に取りつけられる。また、原稿１３が挿入されたことを検出するＤＳアクチュエータ６９や、読取開始のタイミングを検出するＤＥＳアクチュエータ７０が、上原稿フレーム６１に軸支されている。
【００５５】
このアクチュエータ６９，７０が遮るフォトインタラプタは、操作部Ｄのオペレーションパネル（図示せず）の基板の裏面に実装されており、オペレーションパネルを取付けた時に機能できるように構成されている。
【００５６】
上原稿フレーム６１の略中央には、搬送コロ軸６５ａが回転可能に軸支されており、この搬送コロ軸６５ａには、搬送コロ短６６、ストッパコロ６７、及び３つの搬送コロ１７ｂが取り付けられている。すなわち、搬送ローラ１７ａに対向する搬送コロ１７ｂは、搬送コロ軸６５ａを介して、上原稿フレーム６１に回転可能に軸支されている。また、搬送コロ短６６、ストッパコロ６７も、同様に搬送コロ軸６５ａを介して、上原稿フレーム６１に軸支されている。
【００５７】
ストッパ部材６８は、図５に示すように、上原稿フレーム６１におけるストッパコロ６７及び分離片１６ｂの近傍位置に軸支されており、ストッパコロ６７が回転すると、その係合部６７ａに係合して上下方向に揺動するようになっている。
【００５８】
上原稿フレーム６１における搬送コロ軸６５ａの下流側には、３つの排出コロ１８ｂが取り付けられた排出コロ軸６３ａが回転可能に軸支されている。搬送コロ軸６５ａ及び排出コロ軸６３ａは、上原稿フレーム６１と上原稿ステー７１の間に挟まれる形で固定された軸押圧バネ６２によって押圧される。
【００５９】
次に、図６等を参照して、下原稿フレーム５０側の予備搬送ローラユニット３０１の構成について説明する。図６（Ａ）に示すように、予備搬送ローラユニット３０１の予備搬送ローラ５１は、予備搬送ローラ軸５３に挿入され、予備搬送ローラ軸５３と一体に回転するようになっている。
【００６０】
予備搬送ローラ５１は、図６（Ｂ）に示すように、回転中心位置からローラ面までの距離が一定でない歪円状の断面形状となっており、曲率の高いローラ面が原稿を予備搬送する予備搬送面５１ａとなり、曲率の低いローラ面が待機面５１ｂとなっている。予備搬送ローラ５１は、回転角度によって原稿トレー１５のシート載置面に対する突出状態が変化するようになっており、図９及図１０で後述するように、シート材の搬送開始の初期状態では待機面５１ｂが上方を向いてシート載置面から突出せず、この初期状態から回転することにより、予備搬送面５１ａがシート載置面から突出して、積載された複葉原稿から最下層のシート材をピックアップして分離ローラ１６ａ側のシート搬送路に予備搬送する。
【００６１】
予備搬送ローラ軸５３は、その一端側にＢアイドラギア６０のギア６０ａと歯合するギア６０ｂが形成され、軸中央が予備搬送ローラ５１が取り付けられるローラ取付部５３ａとなり、他端側がクラッチ軸５２及びバネクラッチ５４が挿入される挿入部５３ｂとなっている。また、図６（Ｂ）に示すように、予備搬送ローラ軸５３のローラ取付部５３ａと挿入部５３ｂとの間には、平面部５３ｃが形成されており、この部位が略「Ｄ」字状の断面形状となっている。さらに、予備搬送ローラ軸５３の挿入部５３ｂには、バネクラッチ５４の一端側を係合させるための切り欠き部５３ｄが軸方向に形成されている。
【００６２】
バネクラッチ５４は、バネ部材がコイル状に巻かれて形成され、全体略円筒状の外形をなし、予備搬送ローラ軸５３に挿入される一端側にはこの円筒形状の内周側に曲げられた曲げ部５４ａが形成され、他端側には外方側に曲げ起こされた曲げ起こし部５４ｂが形成されている。
【００６３】
クラッチ軸５２は、一端側にバネクラッチ５４の曲げ起こし部５４ｂが形成された一端側が挿入されるバネクラッチ取付部５２ａが形成され、他端側には図４のＡアイドラギア５９のギア５９ａと歯合されるギア５９ｂが形成される。
【００６４】
そして、予備搬送ローラ軸５３のローラ取付部５３ａに予備搬送ローラ５１を取り付け、予備搬送ローラ軸５３の切り欠き部５３ａにバネクラッチ５４の曲げ部５４ａを嵌入しながらバネクラッチ５４を挿入し、さらにバネクラッチ５４をクラッチ軸５２のバネクラッチ取付部５２ａに挿入することで、予備搬送ローラ軸５３に対してバネクラッチ５４を介してクラッチ軸５２が接続される。ここで、各部材の回転方向における取り付け位置（位相）関係は、図６（Ｂ）に示す通りであり、バネクラッチ５４の内側の曲げ部５４ａが切り欠き部５３ａに入ることにより、バネクラッチ５４の曲げ起こし部５４ｂと予備搬送ローラ５１の回転方向の位相が合うようになっている。
【００６５】
バネクラッチ５４は、クラッチ軸５２を図６（Ａ）の矢印ｄ方向に回転させるとそのコイル状のバネ部材が締まって予備搬送ローラ軸５３及び予備搬送ローラ５１を原稿搬送方向とは逆方向に回転させ、矢印ｅ方向に回転させるとコイル状のバネ部材がゆるんで予備搬送ローラ軸５３及び予備搬送ローラ５１に回転が伝わらないようにする機能を有している。すなわち、バネクラッチ５４は、クラッチ軸５２の矢印ｄ方向のみの回転を予備搬送ローラ軸５３及び予備搬送ローラ５１に伝達する。
【００６６】
また、バネクラッチ５４の曲げ起こし部５４ｂは、図１１に示すように、下原稿フレーム５０に対して回動可能に取り付けられた振り子８０に突き当たるようになっている。
【００６７】
次に、図７（Ａ）〜（Ｄ）を参照して、下原稿フレーム５０側の分離ローラユニット３０２の構成について説明する。
【００６８】
分離ローラユニット３０２の金属製の分離ローラ軸５８は、モールド部分５８ａが圧入により取り付けられており、モールド部分５８ａと一体で回転する。そして、この分離ローラ軸５８には、一端側から上述の分離ローラ１６ａ、及びＢアイドラギア６０と歯合されるギア５７が取り付けられ、他端側から、バネ部材がコイル状に巻かれて全体略円筒状の外形をなすバネクラッチ５６、及び上述のギア７３と歯合するギア５５が取り付けられる。
【００６９】
分離ローラ１６ａは、分離ローラ軸５８のモールド部分５８ａにはめ込まれることにより、分離ローラ軸５８と一体となって回転するとともに、モールド部分５８ａに対して適度な摩擦力をもって相対摺動回転するようになっている。ギア５７は、分離ローラ軸５８の断面Ｄ形状とされたギア取り付け部５８ｂに嵌入されることにより、分離ローラ軸５８と一体となって回転する。
【００７０】
バネクラッチ５６は、一端側がギア５５に挿入され、他端側がモールド部分５８ａに挿入されることにより、図４の伝達軸７２の所定方向の回転がギア７３を介してギア５５に伝達された場合に、このギア５５の原稿搬送方向の回転のみを分離ローラ軸５８に伝達する機能を有している。すなわち、バネクラッチ５６は、ギア５５が図７（Ａ）の矢印５５ｂの方向に回転した時に、そのコイル状のバネ部材が締まってギア５５の回転を分離ローラ軸５８に伝達し、分離ローラ軸５８と一体となったギア５７及びギア５７と歯合するＢアイドラギア６０が回転駆動され、分離ローラ１６ａが原稿１３の搬送方向に回転するような巻方向となっている。
【００７１】
一方、ギア５５を図７（Ａ）の矢印５５ａの方向に回した場合には、バネクラッチ５６が緩み、ギア５５の回転が分離ローラ軸５８に伝達されず、分離ローラ１６ａ、ギア５７及びＢアイドラギア６０のいずれも回転駆動されないようになっている。
【００７２】
さらに、ギア５５が矢印５５ｂの方向に回転した場合であっても、その回転速度よりも速い速度で分離ローラ１６ａを原稿１３の搬送方向に回転させた場合には、バネクラッチ５６が緩むため、ギア５７及びＢアイドラギア６０は回転駆動されない。
【００７３】
以下に、分離ローラユニット３０２の伝達軸７２とメカタイマ９９とギア７３の動作について、図７の（Ｂ）〜（Ｄ）を参照して説明する。上述のように、伝達軸７２にはメカタイマ９９が固着され、メカタイマ９９と接続されたギア７３は伝達軸７２と同軸上に回動自在に支持されている。
【００７４】
ここで、図７（Ｂ）に示す状態から伝達軸７２が矢印Ｐ方向に回転した場合には、この回転はメカタイマ９９の作動によりすぐにはギア７３に伝達されずに、伝達軸７２及びメカタイマ９９が図７（Ｃ）に示す状態となった場合に、時間遅れを伴ってギア７３に伝達される。この動作は、図７（Ｃ）に示す状態から伝達軸７２が矢印Ｐと逆方向である矢印ｑ方向に回転した場合でも同様であり、図７（Ｃ）の状態では矢印ｑ方向の伝達軸７２の回転はメカタイマ９９の作動によりすぐにはギア７３に伝達されずに、図７（Ｄ）に示す状態となった場合に時間遅れを伴ってギア７３に伝達されることになる。
【００７５】
図８は、図４の矢印Ｆ方向から見た図であり、排出ローラ１８ａ、搬送ローラ１７ａ、及び伝達軸７２を駆動するための駆動ギアを示している。図８において、ギア７４は、図示していないワンウェイクラッチを介して排出ローラ１８ａの軸部と接続されており、原稿排出方向である矢印７４ａ方向に回転した場合には排出ローラ１８ａに当該回転が伝達され、これを逆方向の矢印７４ｂ方向に回転した場合には回転が伝達されないようになっている。
【００７６】
ギア７５は、その中央の穴がＤ形状になっており、搬送ローラ１７ａの軸部と一体となっている。ギア７６は、ギア７５によりギア７５の回転とは逆方向に回転するギアである。このギア７６は、中央の穴がＤ形状になっており、図４の伝達軸７２と一体となっている。なお、Ｍは回転式の駆動モータであり、不図示の駆動ギアによりギア７４及びギア７５を同方向に回転駆動する。
【００７７】
これにより、駆動モータＭがギア７４とギア７５を矢印７４ａの方向に回転駆動すると、排出ローラ１８ａ及び搬送ローラ１７ａが原稿排出（搬送）方向に回転し、逆に駆動モータＭがギア７４とギア７５を矢印７４ｂの方向に駆動すると、搬送ローラ１７ａは原稿搬送方向とは逆方向に回転するが、ギア７４に接続されたワンウェイクラッチにより、排出ローラ１８ａには駆動が伝達されない。従って、排出ローラ１８ａは、原稿排出方向のみに回転するようになっている。
【００７８】
また、駆動モータＭがギア７４とギア７５を矢印７４ａ又は矢印７４ｂの方向に回転駆動すると、ギア７６がギア７５とは反対の方向に回転し、図４の伝達軸７２が回転駆動される。そして、伝達軸７２が回転すると、図７（Ａ）〜（Ｃ）で説明したように、メカタイマ９９を介して時間遅れをともなってギア７３が回転を開始することになる。
【００７９】
なお、駆動モータＭがギア７４とギア７５を矢印７４ａ方向に回転駆動した際には、分離ローラ１６ａの送り速度が搬送ローラ１７ａの送り速度よりも遅くなるように設定されている。
【００８０】
次に、原稿搬送装置において実際に複葉原稿を搬送する際の動作について、図９を参照して説明する。なお、図９（Ａ）が原稿搬送開始後の状態を、（Ｂ）が搬送開始前の初期状態をそれぞれ示す。ユーザにより図９（Ｂ）の矢印Ｇ方向に複葉原稿が挿入されると、原稿の先端側が予備搬送ローラ５１の回転中心位置の上を越えた地点で、ＤＳアクチュエータ６９がＯＮとなり、さらに、複葉原稿が深く挿入されると、原稿の先端側がストッパ部材６８に突き当たる。
【００８１】
その後、操作部Ｄのオペレーションパネル上でコピーもしくは送信の指示をすると、前記駆動モータＭが回転してギア７４とギア７５を７４ａ方向に回転駆動することにより、排出ローラ１８ａと搬送ローラ１７ａがシート搬送方向に回転するとともに、メカタイマ９９による時間遅れをともなって、分離ローラ１６ａ及び予備搬送ローラ５１がシート搬送方向に回転する。
【００８２】
このとき、図９（Ａ）に示すように、搬送ローラ１７ａがシート搬送方向である矢印Ｈ方向に回転することにより、これに圧接対向するストッパコロ６７が反対方向である矢印Ｊ方向に回転する。このとき、ストッパコロ６７の係合部６７ａがストッパ部材６８の係合腕部６８ａに係合してストッパ部材６８を回動させることにより、ストッパ部材６８が上方にはね上げられて、原稿が原稿搬送路上を通過できる状態となる。
【００８３】
次に、メカタイマ９９による時間遅れを伴って、分離ローラ１６ａと予備搬送ローラ５１がシート搬送方向である矢印Ｈ方向に回転を開始する。これにより、予備搬送部を構成する予備搬送ローラ５１と予備搬送押圧板７７との間に挟まれた原稿は、この予備搬送部により捌かれながら、原稿分離部を構成する分離ローラ１６ａと分離片１６ｂとの間に送られ、ここで１枚ずつ分離されて搬送ローラ１７ａに送られる。
【００８４】
このとき、上述したように、分離ローラ１６ａの送り速度が搬送ローラ１７ａの送り速度より遅くなっているため、原稿の先端側が搬送ローラ１７ａに送られた時点で分離ローラ１６ａの回転速度がギア５５の回転速度を上回り、これにより、バネクラッチ５６が緩んで、ギア５７及びＢアイドラギア６０が回転駆動されずに予備搬送ローラ５１の回転が停止する状態となる。
【００８５】
但し、実際には、わずかな空転トルク等が発生するため、ギア５７及びＢアイドラギア６０に回転力が伝達され、予備搬送ローラ５１が回ろうとする。この時、図４に示す板状弾性部材としてのストップバネ７９が図１０に示すように予備搬送ローラ軸５３の平面部５３ｃに当接すると回転方向に対して抵抗となるため、予備搬送ローラ５１は、その待機面５１ｂが図１０及び図１１の矢印Ｋ方向に向いた状態で停止し、原稿トレー１５のシート載置面に対して予備搬送ローラ５１が突出しない状態となる。
【００８６】
このようにして、搬送ローラ１７ａ及び分離ローラ１６ａによって原稿が搬送されているときは、必ず予備搬送ローラ５１の待機面５１ｂが矢印Ｋ方向に向いた状態で停止し、予備搬送ローラ５１と予備搬送押圧板７７との間が開放状態となり、後ろに引張られることがないので、原稿の伸び等の障害が生じることなくスムーズに原稿を搬送することができる。
【００８７】
この後、原稿の先端側が搬送ローラ１７ａの上を越えた地点で、ＤＥＳアクチュエータ７０がＯＮとなり、続いて光電変換素子１９により画情報が読み取られ、排出ローラ１８ａにより記録カバー１２上に排出される。
【００８８】
また、原稿の後端側が分離ローラ１６ａを通過し、搬送ローラ１７ａのみによって原稿が搬送されるようになった時点で、分離ローラ１６ａの回転速度がギア５５の回転速度と同じになり、これによりバネクラッチ５６が締まってギア５７及びＢアイドラギア６０が回転駆動されて、再び予備搬送ローラ５１が回転することにより、次の原稿の搬送動作が開始されることになる。
【００８９】
駆動モータＭを原稿搬送方向に回転させたときのストッパ部材６８と予備搬送ローラ５１の動作シーケンスを図１２に示す。図１２における予備搬送ローラ５１の動作の内、実線の動作が実施の形態によるところの動作である。本動作では図１２にあらわすごとくストッパ部材６８が開放された後、予備搬送ローラ５１により原稿は搬送される。予備搬送ローラ５１の動作の内、２点破線の動作はメカタイマ９９を具備しないときの参考動作である。
【００９０】
ＤＳアクチュエータ６９が原稿を検知しておらず、かつＤＥＳアクチュエータ７０が原稿を検知して一定の原稿送りが終わってすべての原稿を読取ったと制御系により判断された場合には、次に予備搬送ローラ５１の回転停止位置を初期位置とするためのイニシャライズ動作が行われる。
【００９１】
このイニシャライズ動作は、駆動モータＭを逆転させることにより行う。駆動モータＭを逆転させると、図８のギア７５、ギア７６を介して伝達軸７２及びギア７３が回転し、ギア７３に歯合するギア５５が原稿搬送方向と逆方向に回転する。このときには、バネクラッチ５６が緩んで、ギア５７及びＢアイドラギア６０が回転駆動されずに予備搬送ローラ５１の回転停止が保持される状態となるとともに、ギア５５に歯合するＡアイドラギア５９が回転し、バネクラッチ５４が締まってギア５９ｂの回転が予備搬送ローラ軸５３に伝達されることにより、バネクラッチ５４及び予備搬送ローラ５１が原稿搬送方向とは逆の図１１（Ａ）の矢印Ｌ方向に回転する。
【００９２】
ここで、予備搬送ローラ５１が矢印Ｌ方向に回転すると、図１１（Ａ）に示すように、バネクラッチ５４の曲げ起こし部５４ｂが振り子８０に突き当たり、振り子８０が下原稿フレーム５０のリブ５０ａに突き当たるので、この振り子８０の回転が阻止される。そして、このときにバネクラッチ５４が緩むため、クラッチ軸５２から予備搬送ローラ軸５３への駆動が切られ、予備搬送ローラ５１が静止する。この時、バネクラッチ５４の曲げ起こし部５４ｂと予備搬送ローラ５１の各面とは、図６（Ｂ）に示す通り、位相関係が一定であるので、予備搬送ローラ５１の待機面５１ｂが必ず矢印Ｋ方向を向く。
【００９３】
また、この時には、図１０に示すように、予備搬送ローラ軸５３の平面部５３ｃとストッパバネ７９とが当接して予備搬送ローラ軸５３の停止状態が保持されるため、バネクラッチの曲げ起こし部５４ｂと予備搬送ローラ５１の待機面５１ｂとの位相が製造上の精度により多少ずれていても、予備搬送ローラ５１の待機面５１ｂを矢印Ｋ方向に向けて静止させることができる。これにより、次に原稿を挿入する際、必ず予備搬送ローラ５１と予備搬送押圧板７７とが開放状態になるため、原稿が引っ掛ることなく、スムーズにストッパ部材６８の突き当り部まで到達できる。
【００９４】
さらに、前記イニシャライズ動作により駆動モータＭを逆転させると、図８のギア７５が回転して、搬送ローラ１７ａが原稿搬送方向とは逆である図９（Ｂ）の矢印Ｎ方向に回転するとともに、搬送ローラ１７ａに圧接対向するストッパコロ６７が矢印Ｐ方向に回転する。このとき、ストッパコロ６７の係合部６７ａがストッパ部材６８の係合腕部６８ａに係合してストッパ部材６８を回動させることにより、ストッパ部材６８が所定位置まで下がり、原稿搬送路を塞ぐ閉状態とする。ストッパ部材６８は、原稿搬送路が閉状態となったところで下原稿フレーム５０の図示しない突当て部に突き当たり、回動が阻止される。
【００９５】
このとき、ストッパコロ６７の矢印Ｐ方向の回転が阻止されて、ストッパコロ６７が停止するので、搬送ローラ１７ａとストッパコロ６７はスリップ状態となる。
【００９６】
このようなイニシャライズ動作を行うことにより、ストッパ部材６８が下に降りて原稿搬送路を塞ぐ閉状態となるので、この状態から原稿が挿入された場合には、原稿がストッパ部材６８に当たり、無理に分離部に突っ込まれることがない。
【００９７】
この原稿搬送装置を備えたファクシミリ装置によれば、予備搬送ローラ５１、分離ローラ１６ａ、搬送ローラ１７ａ、及び排出ローラ１８ａの回転制御と、ストッパ部材６８の移動制御とを、ソレノイドを使用せずに駆動モータＭの回転駆動のみで実現しているので、コストダウン、小型化、組立性の向上に寄与することが可能となった。
【００９８】
【発明の効果】
以上詳細に説明したように本発明によれば、シート載置面に積載されたシート材をシート搬送路に予備搬送する予備搬送手段と、前記予備搬送手段の搬送方向下流に配置され、シート材を搬送する方向に回転する分離ローラと、前記分離ローラの搬送方向下流に配置された搬送ローラと、前記搬送ローラと圧接し前記搬送ローラの回転に従動する従動コロと、前記予備搬送手段の搬送方向下流に、前記シート搬送路を開閉するために回動可能に配置され、前記シート搬送路を閉じた位置で前記シート材を前記分離ローラの搬送方向上流で停止させるストッパ部材と、前記従動コロに設けられ、前記従動コロが前記搬送ローラに従動して回転したときに前記ストッパ部材と係合することにより前記シート搬送路を閉じた位置から開いた位置へ前記ストッパ部材を回動させる係合部と、
前記搬送ローラに駆動力を供給する駆動手段と、前記駆動手段の駆動力を前記分離ローラと前記予備搬送手段とに伝達する駆動伝達手段とを有し、前記駆動手段の駆動力が前記搬送ローラに伝達されて前記従動コロが前記搬送ローラに従動して前記ストッパ部材が回動した後に、前記駆動手段の駆動力を前記予備搬送手段に伝達する遅延伝達機構を前記駆動伝達手段に備えることにより、ソレノイドを使用せずに、ストッパ部材の移動と、予備搬送手段、分離ローラおよび搬送ローラの駆動とを、駆動手段で可能とし、低コストでコンパクトなシート材搬送装置を提供すること、及びこのシート材搬送装置を備えた画像読取装置を提供することが可能となる。
【図面の簡単な説明】
【図１】本発明の実施の形態のファクシミリ装置の中央断面図である。
【図２】ファクシミリ装置の外観斜視図である。
【図３】ファクシミリ装置の電気信号制御ブロック図である。
【図４】ファクシミリ装置の原稿読取系における下原稿フレームユニットの平面図である。
【図５】原稿読取系における上原稿フレームユニットの平面図である。
【図６】下原稿フレームユニットにおける予備搬送ローラユニットの構成を説明する図であり、（Ａ）が分解図、（Ｂ）が各部材の位相関係を示す図である。
【図７】下原稿フレームユニットにおける分離ローラユニットの構成図であり、（Ａ）が分解図、（Ｂ）〜（Ｄ）がメカタイマの動作を説明する断面図である。
【図８】図４の矢印Ｆ方向から見た各駆動ギアを示す図である。
【図９】原稿搬送装置におけるストッパ部材の動きを説明する図であり、（Ａ）が原稿搬送開始後の状態を、（Ｂ）がイニシャライズ動作時の状態をそれぞれ示す。
【図１０】ストップバネの構成及び初期状態における予備搬送ローラ等の位相関係を示す図である。
【図１１】予備搬送ローラ及びバネクラッチ等の動きを説明する図であり、（１）がイニシャライズ動作時の状態を、（２）及び（３）が原稿搬送開始時の状態をそれぞれ示す。
【図１２】ストッパ及び予備搬送ローラの動作シーケンス図である。
【図１３】従来のファクシミリ装置の読み取り部の中央断面図である。
【図１４】従来のファクシミリ装置の読み取り部の平面図である。
【図１５】従来のファクシミリ装置のストッパ動き説明図である。
【図１６】従来のファクシミリ装置の外観図である。
【符号の説明】
Ａ  給紙系
Ｂ  記録系
Ｃ  原稿読取系
Ｄ  操作部
１（１ａ，１ｂ）  給紙カセット
２（２ａ，２ｂ）  記録シート
３（３ａ，３ｂ）  給送ローラ
１  インクカートリッジ
１１ａ，１１ｂ  排出ローラ
１３  原稿
１５  原稿トレー
１６ａ  分離ローラ
１６ｂ  分離片
１６ｃ  分離バネ
１７ａ  搬送ローラ
１７ｂ  搬送コロ
１８ａ  排出ローラ対
１８ｂ  排出コロ
１９  光電変換素子
３０１  予備搬送ローラユニット
５０  下原稿フレーム
５１  予備搬送ローラ
５１ａ  予備搬送面
５１ｂ  待機面
５２  クラッチ軸
５３  予備搬送ローラ軸
５３ａ  切り欠き部
５３ｃ  平面部
５４  バネクラッチ
５４ａ  曲げ部
５４ｂ  曲げ起こし部
５５  ギア
５６  バネクラッチ
３０２  分離ローラユニット
５９  Ａアイドラギア
６０  Ｂアイドラギア
６１  上原稿フレーム
６７  ストッパコロ
６７ａ  係合部
６８  ストッパ部材
７２  伝達軸
７３，７４，７５，７６  ギア
７９  ストップバネ
８０  振り子
９９  メカタイマ（遅延伝達機構）
【図１】
0004371474.tif 000002
【図２】
0004371474.tif 000003
【図３】
0004371474.tif 000004
【図４】
0004371474.tif 000005
【図５】
0004371474.tif 000006
【図６】
0004371474.tif 000007
【図７】
0004371474.tif 000008
【図８】
0004371474.tif 000009
【図９】
0004371474.tif 000010
【図１０】
0004371474.tif 000011
【図１１】
0004371474.tif 000012
【図１２】
0004371474.tif 000013
【図１３】
0004371474.tif 000014
【図１４】
0004371474.tif 000015
【図１５】
0004371474.tif 000016
【図１６】
0004371474.tif 000017